(57)【要約】【課題】足裏の踵の位置に踵を支持する支持部材が配置されることにより歩きやすい等で履き心地が良く、かつ、そのような支持部材が配置されているにも関わらず踵部分の透湿性が良い等で履き心地の良いフットカバーを提供する。【解決手段】このフットカバー１００は、爪先と踵を含む足底とを被覆するとともに足甲および足首を露出するフットカバーであって、足底部１０４の踵の位置に、踵を覆う立体形状を備えた薄板状の支持部材１２０が設けられ、この支持部材１２０は、踵底面に対応した平面部１３０と平面部１３０から足指側を除く３方向に延長されて立設された左右の側方部１２８Ａおよび後方部１２８Ｂとを備え、支持部材１２０を被覆するとともに足肌に当接する被覆生地１２２が設けられ、足底部１０４と被覆生地１２２とが支持部材１２０の足指側において接合部１２６により接合されている。【選択図】図１
2019039086.tif 000002
【特許請求の範囲】
【請求項１】
爪先と踵を含む足底とを被覆するとともに足甲および足首を露出するフットカバーであって、薄手の伸縮性生地で構成された、足底部、側辺部、踵部および前記爪先を覆う筒状の爪先部で形成され、
前記足底部に対して上下反対側に足を出し入れするための開口部を設け、
前記開口部を形成する側辺部の上縁に伸縮性細幅生地を設け、
前記足底部の踵の位置に、踵を覆う立体形状を備えた薄板状の支持部材が設けられ、
前記支持部材は、踵底面に対応した平面部と前記平面部から足指側を除く３方向に延長されて立設された左右の側方部および後方部とを備え、
前記支持部材を被覆するとともに足肌に当接する被覆生地が設けられ、
前記足底部と前記被覆生地とが前記支持部材の足指側において接合されていることを特徴とするフットカバー。
【発明の詳細な説明】
【技術分野】
【０００１】
本発明は、着用すると、スニーカー（カジュアルな運動用の靴）やパンプス（履き口である甲部分が大きく開いている主として婦人用の靴）等の靴の内側に隠れて見えなくなるフットカバーに関し、特に、足裏の踵の位置に踵を支持（ホールド）する支持部材が配置されることにより歩きやすい等で履き心地が良く、かつ、そのような支持部材が配置されているにも関わらず踵部分の透湿性が良い等で履き心地の良いフットカバーに関する。
【背景技術】
【０００２】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバーが、以下の先行技術文献に開示されている。
【０００４】
特開平１０−２９２２０６号公報（特許文献１）は、歩行時におけるパンプスとフットカバーとの摩擦によってフットカバーが素足から脱げてしまったり、パンプスの脱ぎ履き時にフットカバーが脱げてしまったり履き位置がずれてしまったりすることを防止するために、踵当接部内面に摩擦付与体を取り付けたフットカバーを開示する。
実用新案登録第３１６５７３３号公報（特許文献２）は、特許文献１に開示されたフットカバーの開口部の周縁に沿ってゴム紐を設けたのでは、ゴム紐が足に食い込むため、足にゴム紐の型が付いてしまったり、痛みを感じたり、履き心地が良くないという問題があったことに鑑み、開口部の周縁に沿って平ゴムを設けて一面が足に接するようにした帯状伸縮部を形成したフットカバーを開示する。
【０００５】
このようなフットカバーは、足を被覆する点で靴下と類似し、靴下において、歩行やスポーツによる踵部分への衝撃の緩和することや、履くことにより身長を高く見せることを目的として、靴下の踵部分にインソールや中敷きを設ける技術が、以下の先行技術文献に開示されている。
特開２０１１−０１５９２７号公報（特許文献３）は、踵および足底の皮膚の過剰な角化やひび割れを防止し、歩行やスポーツの踵への衝撃を緩和し、さらに足部の冷えの軽減や防臭等を目的とした、足の皮膚に直接密着させて使用するインソールを開示する。このインソールは、靴下やストッキングの中で、踵および足底の皮膚に直接装着して使用する。すなわち、踵および足底に直接密着した状態でインソールを装着し、その上から靴下やストッキングを履いて過ごすことにより、保湿や保温、さらには衝撃緩和、防臭効果等を発現させることを期待できる。
【０００６】
特開平１０−０６６６０６号公報（特許文献４）は、靴を脱いでも身長を高く保て、靴下を履いているので外観も自然な靴下用踵部中敷きを開示する。この靴下用踵部中敷きは、ゴム等のクッション材でできた靴底様の板の踵部を厚くし、上部を踵の丸みに合わせ、下部を踵に似せて丸みを持たせ、足甲部に固定するゴム製のバンドを取り付けて履いたとき脱げにくくしたサンダル型靴下用中敷きである。まず、この靴下用中敷きを足に装着して、その上から靴下を履くと、外部から見れば形状は自然で、身長は踵部の厚み分だけ高くなる。
【先行技術文献】
【特許文献】
【０００７】
【特許文献１】特開平１０−２９２２０６号公報
【特許文献２】実用新案登録第３１６５７３３号公報
【特許文献３】特開２０１１−０１５９２７号公報
【特許文献４】特開平１０−０６６６０６号公報
【発明の概要】
【発明が解決しようとする課題】
【０００８】
特許文献１または特許文献２に開示されたフットカバーにおいて踵部分にクッション材を設けるために、特許文献３または特許文献４に開示された技術を適用することが考えられる。このような組合せに限定されるものではなく、踵部分に特徴的な構造を備えたフットカバーが公知である。
しかしながら、フットカバーに特許文献３に開示された技術を組み合わせたところで、特許文献３に開示されたインソールは踵および足底の皮膚に直接装着して使用するものに過ぎず、足肌、インソール、フットカバー、靴内面の順に構成されるために、インソール自体が足肌からずれたり、インソールがフットカバーを介して靴内面からずれたりするので、ホールド性が好ましくない。この点では、フットカバーに特許文献４に開示された技術を組み合わせることにより、このようなずれが緩和される可能性があるとはいえ、足甲部に固定するゴム製のバンドを取り付けなければならない。いずれにしても、このようにインソールや中敷きを足肌に当接させる場合には、フットカバーの足底部が薄手の伸縮性生地で構成することによる肌ざわりがよい点を実現できなくなるばかりか、足（踵部分）に発生した汗により靴の中が蒸れてしまうことによる不快感を解消できなくなる。その結果、履き心地の良いフットカバーを実現することが難しくなる。
【０００９】
本発明は、従来技術の上述の問題点に鑑みて開発されたものであり、その目的とするところは、足裏の踵の位置に踵を支持（ホールド）する支持部材が配置されることにより歩きやすい等で履き心地が良く、かつ、そのような支持部材が配置されているにも関わらず踵部分の透湿性が良い等で履き心地の良いフットカバーを提供することである。
【課題を解決するための手段】
【００１０】
上記目的を達成するため、本発明に係るフットカバーは以下の技術的手段を講じている。
すなわち、本発明に係るフットカバーは、爪先と踵を含む足底とを被覆するとともに足甲および足首を露出するフットカバーであって、薄手の伸縮性生地で構成された、足底部、側辺部、踵部および前記爪先を覆う筒状の爪先部で形成され、前記足底部に対して上下反対側に足を出し入れするための開口部を設け、前記開口部を形成する側辺部の上縁に伸縮性細幅生地を設け、前記足底部の踵の位置に、踵を覆う立体形状を備えた薄板状の支持部材が設けられ、前記支持部材は、踵底面に対応した平面部と前記平面部から足指側を除く３方向に延長されて立設された左右の側方部および後方部とを備え、前記支持部材を被覆するとともに足肌に当接する被覆生地が設けられ、前記足底部と前記被覆生地とが前記支持部材の足指側において接合されていることを特徴とする。
【発明の効果】
【００１１】
本発明のフットカバーによれば、足裏の踵の位置に踵を支持（ホールド）する支持部材が配置されることにより歩きやすい等で履き心地が良く、かつ、そのような支持部材が配置されているにも関わらず踵部分の透湿性が良い等で履き心地の良いフットカバーを提供することができる。
【図面の簡単な説明】
【００１２】
【図１】本発明の実施の形態に係るフットカバーについての、（Ａ）全体斜視図、（Ｂ）踵が上がった状態の背面側から見た斜視図である。
【図２】図１のフットカバーの平面図であって、（Ａ）側面図、（Ｂ）下面図（靴内面または床面当接側）、（Ｃ）支持部材の上面図（足裏側）、（Ｄ）支持部材の（Ｃ）に示すＤ−Ｄ断面図、（Ｅ）（Ｄ）において足Ｆによる被覆生地の変形状態を示す図、（Ｆ）支持部材の（Ｃ）に示すＦ方向（足指方向）から見た側面図、（Ｇ）（Ｆ）において足Ｆによる被覆生地の変形状態を示す図である。
【発明を実施するための形態】
【００１３】
以下、本発明の実施の形態に係るフットカバー１００を、図面に基づき詳しく説明する。ここで、フットカバーの構造には様々なものがあり、本発明は特定の構造に限定されるものではなく、後述する特徴（足底部１０４の踵部分に踵を被うように支持する支持部材１２０を備える点）を備えたものであれば、どのようなフットカバーの構造であっても、フットカバーを形成する生地の種類、生地の型紙およびその生地の接合方法がどのようなものであっても基本的には構わない。そのため、以下に示すフットカバー１００の構造自体は単なる例示でしかない。ここで、以下の説明における上下左右方向は、このフットカバー１００の着用した場合に着用者が起立した場合の方向を意味する。また、足指方向（爪先方向）を前方向、踵方向を後方向と記載する場合がある。
【００１４】
なお、このフットカバー１００は複数の生地片（パーツ）から形成され、いずれの生地も伸縮性を備えた編地（伸縮性生地）である。ここでは、このフットカバーを形成する生地（足底部１０４の踵部分に設けられた支持部材１２０は生地でないので除くがこの支持部材１２０を被覆する被覆生地１２２は含む）は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でフットカバーに好ましい。
【００１５】
さらに、本実施の形態に係るフットカバー１００は、爪先と踵を含む足底とを被覆するとともに足甲および足首を露出するフットカバーであって、足底部１０４、側辺部１０６、踵部１０８および爪先を覆う爪先部１０２で形成される（限定されるものではないがここでは側辺部１０６から踵部１０８を形成する生地は１つの生地片（パーツ））。また、限定されるものではないが、以下に示すフットカバー１００は（支持部材１２０を含めて）左右共用であって、左右共用であるために左右を履き間違いすることがない点で好ましい。なお、フットカバーが左右共用でない場合には、左足用と右足用とは（全体として）左右非対称の形状を備えてもかまわないし、後述する支持部材１２０を除いて（支持部材１２０の部分のみ左右非対称であって部分的に）左右対称の形状を備えてもかまわない。
【００１６】
さらに、本実施の形態に係るフットカバー１００は複数の生地（爪先部１０２を形成する生地、足底部１０４を形成する生地および側辺部１０６から踵部１０８を形成する生地の３つの生地で被覆生地１２２を含めると４つの生地）により構成されているが、これらの生地どうしの接合については限定されるものではない。たとえば、縫合により生地どうしを接合するものであっても構わないし、帯状部材の一面に接着剤が塗布された接着テープを用いて加熱することにより接着剤が溶融して生地を熱接着して生地どうしを接合するものであっても構わない。ここで、この接合には、熱圧着によるもの、熱溶着によるもの、熱融着によるもの等を含む。
【００１７】
そして、特徴的であるのは、足底部１０４の踵の位置に、踵を覆う立体形状を備えた薄板状の支持部材１２０が設けられている。この支持部材１２０は、踵底面に対応した平面部１３０とこの平面部１３０から足指側を除く３方向に延長されて立設された左右の側方部１２８Ａおよび後方部１２８Ｂとを備えている。そして、このフットカバー１００は、支持部材１２０を被覆するとともに足肌に当接する被覆生地１２２が設けられており、足底部１０４と被覆生地１２２とが支持部材１２０の足指側（前側）において接合されている。詳しくは後述するが、被覆生地１２２の足指側（前側）である端部１２４側において、被覆生地１２２と足底部１０４とが接合されている。
【００１８】
さらに詳しくは、この支持部材１２０における平面部１３０は、足底部１０４の略半分〜略１／３の平面形状を備え、この平面部１３０から斜め上方へ向けて立設された、左右の側方部１２８Ａおよび後方部１２８Ｂとが延長されて一体化された構造を備える。
ここで、限定されるものではないが、この支持部材１２０の素材は、靴の中敷きに使用されるようなエラストマー素材が好ましい。たとえば、このような素材として、ＥＶＡ（エチレン・酢酸ビニル共重合樹脂）、低反発ウレタンスポンジ、合成ゴム等が好ましく、また抗菌防臭加工されたポリエステル繊維層を設けることも好ましい。さらに、後述する剛性を備えるものであれば、たとえば、シリコーンゴム（Ｓｉｌｉｃｏｎｅ  Ｒｕｂｂｅｒ）等であっても構わない。なお、シリコーンゴムとは、シリコーン樹脂（シリコーンを主成分とする合成樹脂）のうち、ゴム状のものを意味し、シリコン樹脂、シリコンゴム、ケイ素ゴムとも言われる素材である。
【００１９】
ここで、平面部１３０から延長されて（斜め上方へ向けて）立設された左右の側方部１２８Ａおよび後方部１２８Ｂは、平面部１３０側へ容易に折れ曲がることのない剛性を備えるとともに（平面部１３０から立設する部分に腰があるとともに）、支持部材１２０に踵が当接しても（被覆生地１２２を介して支持部材１２０に踵が間接的に当接することになるわけではあるが）踵に痛みを感じないクッション性を備えることが好ましい。この場合における剛性とは、被覆生地１２２の左右側端および踵側後端が、支持部材１２０の左右の側方部１２８Ａの上端および後方部１２８Ｂの上端によりそれぞれ係止され被覆生地１２２が支持部材１２０から浮いた状態になるように被覆生地１２２に張力を掛けても（引っ張り気味にして後述する図２（Ｄ）および図２（Ｆ）に示す状態になっても）、支持部材１２０の立体形状が変化しない程度の剛性を意味する。
【００２０】
このような特徴を備えたフットカバー１００について、以下に詳しく説明する。
図１および図２に本発明の実施の形態に係るフットカバー１００を示す。図１（Ａ）はフットカバー１００の全体斜視図であって、図１（Ｂ）は踵が上がった状態の背面側から見たフットカバー１００の斜視図である。図２（Ａ）はフットカバー１００の側面図であって、図２（Ｂ）はフットカバー１００の下面図（靴内面または床面当接側）であって、図２（Ｃ）は支持部材１２０の上面図（足裏側）であって、図２（Ｄ）は支持部材の図２（Ｃ）に示すＤ−Ｄ断面図であって、図２（Ｅ）は図２（Ｄ）において足Ｆによる被覆生地１２２の変形状態を示す図であって、図２（Ｆ）は支持部材１２０の図２（Ｃ）に示すＦ方向（足指方向）から見た側面図であって、図２（Ｇ）は図２（Ｆ）において足Ｆによる被覆生地１２２の変形状態を示す図である。
【００２１】
なお、図１および図２においては、着用者の足Ｆにフットカバー１００を着用して（起立して）いる状態を想定している。すなわち、本発明の実施の形態に係るフットカバー１００は、トリコット等の伸縮性生地で形成されているために、このように想定して図示しない場合には縮んだ状態となり、形状を理解することが困難なため、上述のように想定している。
【００２２】
ただし、支持部材１２０を被覆する被覆生地１２２については、図２（Ｄ）および図２（Ｆ）における被覆生地１２２は着用者の足Ｆにフットカバー１００を着用する前の形状を示している。すなわち、支持部材１２０においては上述した３方向の側方が斜め上方へ向けて立設されているとともに、着用者の体重が掛からない状態では被覆生地１２２の左右側端および踵側後端はそれぞれ左右の側方部１２８Ａの上端および後方部１２８Ｂの上端により係止されて被覆生地１２２に張力が掛けられて支持部材の１２０の平面部１３０と被覆生地１２２との間には大きな空間Ｓが生じるようにフットカバー１００が形成されている。このため、フットカバー１００が着用されていない場合には、着用者の体重が掛からないので図２（Ｄ）および図２（Ｆ）に示すように被覆生地１２２が変形せず支持部材の１２０の平面部１３０と被覆生地１２２との間には大きな空間Ｓが生じているのに対して、フットカバー１００が着用されて起立した場合（靴を履いた場合）には、着用者の体重が掛かり図２（Ｅ）および図２（Ｇ）に示すように被覆生地１２２が踵の形状に沿って変形して支持部材の１２０の平面部１３０と被覆生地１２２との間には大きな空間Ｓが生じなくなっている。この空間Ｓの差異を理解することが困難なために、支持部材１２０を被覆する被覆生地１２２については、図２（Ｄ）および図２（Ｆ）のみにおいては被覆生地１２２は着用者の足Ｆにフットカバー１００を着用する前の形状を示している。
【００２３】
これらの図を参照すると理解できるように、このフットカバー１００は、着用者の足Ｆの爪先と踵を含む足底とを被覆するとともに足甲および足首を露出するフットカバーである。
このフットカバー１００は、着用時にスニーカー等の靴から露出することのないよう履き口である開口部がカットされた薄手の伸縮性生地（トリコット等の生地）で形成されている。なお、フットカバー１００は、着用時にスニーカーよりも履き口である甲部分が大きく開いているパンプスから露出することのないよう履き口である開口部がさらに大きくカットされた薄手の伸縮性生地（トリコット等の生地）で形成されていても構わない。ここで、着用時に靴やパンプスから露出することのないとは、フットカバー１００が靴やパンプスに隠れて、見えなくなることも、見えにくくなることも含む。
【００２４】
このフットカバー１００は、爪先部１０２、足底部１０４、側辺部１０６および踵部１０８で形成されている。そして、足底部１０４に対して上下反対側に足を出し入れするための開口部が設けられている。開口部は、爪先部１０２の上部、側辺部１０６の上部および踵部１０８の上部で形成されることになる。このフットカバー１００は、たとえば、爪先部１０２、足底部１０４、側辺部１０６および踵部１０８を別々に編成して（側辺部１０６および踵部１０８は一体的に編成された１つの生地片（パーツ））、側辺部１０６および踵部１０８と爪先部１０２とを縫着して一体化して、さらに、一体化されたこれらの爪先部１０２、側辺部１０６および踵部１０８と足底部１０４とを縫着して一体化している。
【００２５】
このフットカバー１００においては、足底部１０４に対して上下反対側に足を出し入れするための開口部が爪先部１０２、側辺部１０６および踵部１０８により形成されている。この開口部の上縁の全周に亘ってフットカバー１００の内側（足Ｆが接する側：肌側）に伸縮性細幅生地１１２および伸縮性細幅生地１１６が設けられている。このフットカバー１００を履くときにこれらの伸縮性細幅生地１１２および伸縮性細幅生地１１６を伸張させると開口部が大きく開くために履きやすく、かつ、このフットカバー１００を履いた後は伸縮性細幅生地１１２および伸縮性細幅生地１１６が収縮して開口部が小さくなるために歩行時にフットカバー１００が脱げることがない。なお、この開口部の上縁の全周に亘ってフットカバー１００の外側（足Ｆが接する側とは逆側：靴内面に当接する側）に伸縮性細幅生地１１２および伸縮性細幅生地１１６を設けるようにしても構わない。
【００２６】
なお、これらの伸縮性細幅生地１１２および伸縮性細幅生地１１６は、開口部の上縁の全周ではなく上縁の一部に設けるようにしても構わないし、連続的ではなく断続的に設けるようにしても構わない。いずれであっても、これらの伸縮性細幅生地１１２および伸縮性細幅生地１１６により、このフットカバー１００が履きやすく、フットカバー１００は歩行等の動作によっても脱げたり位置ずれすることが少ない。
【００２７】
ここで、この伸縮性細幅生地１１２および伸縮性細幅生地１１６の一例として、ナイロン製テープを挙げることができる。また、この伸縮性細幅生地１１２および伸縮性細幅生地１１６をこのフットカバー１００（の少なくとも一部）を構成する伸縮性生地と同じ生地にすることも好ましい。
さらに、このフットカバー１００の踵部１０８の上縁には、フットカバー１００の内側（足Ｆが接する側：肌側）には、シリコーン樹脂等の薄い透明のシートで形成された踵部滑り止め１１８を設けることも好ましい。これにより、足Ｆの踵との密着性を高めてフットカバー１００が足Ｆの踵の部分からずれることをさらに防止することができる。なお、この踵部滑り止め１１８は、本発明に係るフットカバーにおいて必須の構成ではない。
【００２８】
このフットカバー１００においては、足底部１０４の踵の位置に、踵の底面形状（踵における足首側ではなく足底側の形状）に対応した平面部１３０と左右の側方部１２８Ａおよび後方部１２８Ｂとを備え、踵を覆う立体形状の支持部材１２０が設けられている。なお、上述した踵部滑り止め１１８のように、平面部１３０の足底部１０４当接側に滑り止めを設けると、支持部材１２０と足底部１０４との相対的な位置がずれないので好ましい。
【００２９】
図２（Ａ）〜図２（Ｇ）を参照して、この支持部材１２０の形状およびその機能（作用効果）を説明する。この機能については、この支持部材１２０のにおける左右の側方部１２８Ａおよび後方部１２８Ｂが平面部１３０から立設している形状に基づくものであるとともに、被覆生地１２２が支持部材１２０から浮いた状態になるように被覆生地１２２に張力が掛けられて左右の側方部１２８Ａの上端および後方部１２８Ｂの上端に被覆生地１２２が係止されて形成されたフットカバー１００の形状に基づくものである。
【００３０】
まず、この支持部材１２０をフットカバー１００の足底部１０４に当接させるとともにその位置を固定するための、フットカバー１００の構造について説明する。
図１（Ａ）および図１（Ｂ）ならびに図２（Ａ）および図２（Ｂ）に示すように、この支持部材１２０は、被覆生地１２２における足底部１０４側（靴底側）の面（足裏当接面の逆側の面）に左右の側方部１２８Ａの上端および後方部１２８Ｂの上端が当接するように設けられ、この支持部材１２０を中間として足底部１０４の上下反対側にこの支持部材１２０を被覆するとともに足肌に当接する被覆生地１２２が設けられている。すなわち、このように足底部１０４と被覆生地１２２とにより支持部材１２０を挟んでいる。そして、足底部１０４と被覆生地１２２とが支持部材１２０の足指側において接合部１２６により接合されている。注目すべきは、支持部材１２０の左右側においてはこのような接合部１２６によっては接合されておらず、左右側は被覆生地１２２に張力が掛けられて足底部１０４と側辺部１０６と被覆生地１２２とが接合（縫合）されて、支持部材の１２０の平面部１３０と被覆生地１２２との間には大きな空間Ｓが生じている点である。ここで、支持部材１２０の足指側における接合部１２６の一例として、薄い帯状部材の両面に接着剤が塗布された両面接着テープを用いて加熱することにより接着剤が溶融して生地を熱接着して生地どうしを接合するものであっても構わない。ここで、この接合には、縫合、熱圧着によるもの、熱溶着によるもの、熱融着によるもの等を含む。このような両面接着テープが採用された場合、足底部１０４と被覆生地１２２とは、支持部材１２０の足指側（爪先側と記載すす場合がある）が両面接着テープにより接合されているが支持部材１２０の左右側は両面接着テープにより接合されていないことになる。接合部１２６として、両面接着テープが採用されると（縫合に比べて縫い目が当たらないので）足裏の感覚として違和感が少なく、さらに、薄い両面接着テープが採用されると足裏の感覚として違和感がさらに少ない。
【００３１】
このようにすると、支持部材１２０が足底部１０４と被覆生地１２２とで挟まれ、かつ、支持部材１２０の足指側（爪先側であって左右側ではない）において足底部１０４と被覆生地１２２とが接合され、左右側は足底部１０４と側辺部１０６とともに被覆生地１２２が接合（縫合）されているので、この支持部材１２０をフットカバー１００の足底部１０４からずれないように当接させるとともにその位置を固定することができる。
【００３２】
さらに、この場合において、図２（Ｄ）および図２（Ｆ）に示すように、着用者の足Ｆにフットカバー１００を着用する前においては、被覆生地１２２の左右側端および踵側後端はそれぞれ左右の側方部１２８Ａの上端および後方部１２８Ｂの上端により係止されて被覆生地１２２に張力が掛けられて支持部材の１２０の平面部１３０と被覆生地１２２との間には大きな空間Ｓが生じている。すなわち、フットカバー１００が着用されていない場合には、着用者の体重が掛からないので図２（Ｄ）および図２（Ｆ）に示すように被覆生地１２２が変形せず支持部材の１２０の平面部１３０と被覆生地１２２との間には大きな空間Ｓが生じている。
【００３３】
これに対して、図２（Ｅ）および図２（Ｇ）に示すように、フットカバー１００が着用されて起立した場合（靴を履いた場合）には、着用者の体重が掛かり被覆生地１２２が踵の形状に沿って変形して支持部材の１２０の平面部１３０と被覆生地１２２との間に存在していた大きな空間Ｓが生じなくなっている。ただし、このときであっても、図２（Ｅ）および図２（Ｇ）に示すように、空間Ｓよりもその体積は小さいものの踵側に空間Ｓ（１）および爪先側に空間Ｓ（２）が生じている。ここで、爪先側の空間Ｓ（２）は、多くの人に存在する足裏の土踏まず形状（足裏底面が凹んでいる形状）により生じている。また、踵側の空間Ｓ（１）は、踵の曲率よりも支持部材１２０において平面部１３０から後方
部１２８Ｂへの立ち上がりを急にしておくこと（および支持部材１２０が備える剛性）により生じさせることができる。
【００３４】
以上のような構造を備えたフットカバー１００を着用者が足Ｆに着用したとき、または、フットカバー１００を着用者が足Ｆに着用してさらに靴を履いたときの効果（Ａ）〜（Ｄ）およびフットカバー１００を着用者が足Ｆに着用していないときの効果（Ｅ）について説明する。
（Ａ）着用者の体重が掛かり被覆生地１２２が踵の形状に沿って変形して支持部材の１２０の平面部１３０と被覆生地１２２との間に存在していた大きな空間Ｓよりもその体積は小さいものの踵側に空間Ｓ（１）および爪先側に空間Ｓ（２）が生じている。このように着用時においても空気層を備えることができるので、踵部分の透湿性（通気性）が好ましく履き心地が良い。
（Ｂ）支持部材１２０の立体形状によりにより踵を保持（ホールド）するので歩行時においてもホールド性が高くフットカバー１００が足（特に踵）からずれないので履き心地が良い。
（Ｃ）支持部材１２０のクッション性を持たせることにより、足底部１０４の踵側の略半分〜略１／３程度の大きさで踵位置に設けられた支持部材１２０により、歩くときに好ましいクッション性を発現することができる。
【００３５】
（Ｄ）支持部材１２０は足裏の素肌に直接には当接しないで、被覆生地１２２を介して当接しており、この被覆生地１２２に吸湿性を備えた綿等を採用することにより、足（踵部分）に発生した汗により靴の中が蒸れてしまうことによる不快感を解消することができるとともに、上記（Ａ）に記載した空気層により通気したり蒸発を促進させたりすることができる。その結果、夏季等に長時間歩行する等により足裏から汗が多く発生した場合であってもこの空気層により通気したり蒸発を促進させたりすることができる。
（Ｅ）着用者の体重が掛からない状態では被覆生地１２２の左右側端および踵側後端はそれぞれ左右の側方部１２８Ａの上端および後方部１２８Ｂの上端により係止されて被覆生地１２２に張力が掛けられて支持部材の１２０の平面部１３０と被覆生地１２２との間には大きな空間Ｓが生じる。その結果、夏季等に長時間歩行等により足裏から汗が多く発生した後に一時的にフットカバー１００を脱いで放置するだけで、この大きな空間Ｓによる空気層により通気したり蒸発を促進させたりすることができるために、次に履いたときの不快感を抑制することができる。
【００３６】
以上のようにして、本実施の形態に係るフットカバーによると、足裏の踵の位置に踵を支持する支持部材が配置されることにより歩きやすい等で履き心地が良く、かつ、そのような支持部材が配置されているにも関わらず踵部分の透湿性が良い等で履き心地の良いフットカバーを提供することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３７】
本発明は、素足で履くフットカバーに好適であり、足裏の踵の位置に踵を支持する支持部材が配置されることにより歩きやすい等で履き心地が良く、かつ、そのような支持部材が配置されているにも関わらず踵部分の透湿性が良い等で履き心地の良いフットカバーを提供することができる点で特に好ましい。
【符号の説明】
【００３８】
１００  フットカバー
１０２  爪先部
１０４  足底部
１０６  側辺部
１０８  踵部
１２０  支持部材
Ｆ  足
【図１】
2019039086.tif 000003
【図２】
2019039086.tif 000004